(57)【特許請求の範囲】
【請求項１】
互換性のない複数種類のブラウザに対応したホームページをインターネット上に構築しページ掲載データを一元管理するためのシステムであって、Ｗｅｂサーバーに装備されパーソナルコンピュータや複数機種の携帯端末等のアクセス端末に使用されるブラウザごとにそのブラウザに対応したＷｅｂファイル形式を備え多数の区切られた領域を有し各領域が予め決められた登録名に対応し登録名が付けられたページ掲載データを該登録名に対応する前記領域に貼り付けることができるようにした全体がマトリックス化されたテンプレートと、前記Ｗｅｂサーバーに装備されホームページを構築するための多数のページ掲載データを格納するオリジナルデータベースと、前記Ｗｅｂサーバーに装備され各種携帯端末の機種情報を格納するブラウザデータベースと、アクセス端末からのブラウザ情報に基づいて前記ブラウザデータベースからアクセス端末の機種情報を入手し該機種情報に基づいて前記オリジナルデータベースに格納されているページ掲載データを前記機種に対応したページ掲載データに変換し前記機種に対応する前記テンプレートに出力するデータ変換手段と、該変換したデータをその位置情報に応じて前記テンプレートの所定の位置に貼り付けるデータ貼り付け手段とを備えたことを特徴とするホームページ構築システム。
【請求項２】
インターネットに接続するＷｅｂサーバーを、
複数機種の携帯端末等のアクセス端末の各種のブラウザに対応したＷｅｂファイル形式を備え多数の区切られた領域を有し各領域が予め決められた登録名に対応し登録名が付けられたページ掲載データを該登録名に対応する前記領域に貼り付けることができるようにした全体がマトリックス化されたテンプレートを設定する手段、
ホームページを構成するための多数のページ掲載データをオリジナルデータベースとして格納する手段、
前記オリジナルデータベースに格納されているページ掲載データをアクセス端末の機種に対応したページ掲載データに変換し該機種に対応する前記テンプレートに出力するデータ変換手段、
該変換したページ掲載データをその位置情報に応じてテンプレートの所定の位置に貼り付けるデータ貼り付け手段、
として機能させるためのホームページ構築に用いられるプログラム。
【発明の詳細な説明】
【０００１】
【発明の属する技術分野】
本発明は、種々のブラウザに対応したホームページを構築しページ掲載データを一元管理するためのシステム及びこのホームページ構築に用いられるプログラムに関する。
【０００２】
【従来の技術】
現状のホームページは、市販のホームページ作成ソフトにより作成されるのが一般的である。この際、ホームページはパーソナルコンピュータ閲覧用として作成される。このホームページをパーソナルコンピュータ以外の携帯電話等のブラウザで閲覧できるようにするには、ホームページ作成経験者や技術的な熟知者により、各種のブラウザに対応するホームページを作成しなければならない。各種ブラウザに対応するホームページ作成の過程において、写真をホームページに掲載する例を図６を参照して説明すると、まず、ホームページ作成者は、写真をデジタルカメラやスキャナ等のディジタル機器３０でディジタルデータ化し、このデータを市販の画像ソフト３２を用いて、サイズ、フォーマット、色数等の画像加工を行う。この画像加工は、パーソナルコンピュータ用の処理３４と、携帯電話のｉ−ｍｏｄｅ用の処理３６と、Ｊ−Ｓｋｙ用の処理３８と、ＥＺ−Ｗｅｂ用の処理４０とが行われる。次に、パーソナルコンピュータ用に加工された画像は処理４２でパーソナルコンピュータ用のＨＴＭＬ形式のＷｅｂページに貼り付けられる。また、携帯電話のｉ−ｍｏｄｅ用に加工された画像は処理４４で、ｉ−ｍｏｄｅ用のＨＴＭＬ形式のＷｅｂヘージに貼り付けられる。また、Ｊ−Ｓｋｙ用に加工された画像は処理４６でＪ−Ｓｋｙ用のＨＴＭＬ形式のＷｅｂページに貼り付けられる。また、ＥＺ−Ｗｅｂ用に加工された画像は処理４８で、ＥＺ−Ｗｅｂ用のＨＤＭＬ形式のＷｅｂヘージに貼り付けられる。次に各形式のＷｅｂページは、処理５０によって、Ｗｅｂサーバー５２のメモリにアップロード保存される。パーソナルコンピュータを使用したホームページ閲覧者５４は、Ｗｅｂサーバー５２に格納されているホームページのパーソナルコンピュータ用の画面５６をインターネットを通じて閲覧することができる。また、ｉ−ｍｏｄｅの携帯電話を使用したホームページ閲覧者５８は、Ｗｅｂサーバー５２に格納されているホームページのｉ−ｍｏｄｅ用の画面６０をインターネットを通じて閲覧することができる。また、Ｊ−Ｓｋｙを使用したホームページ閲覧者６２は、Ｗｅｂサーバー５２に格納されているホームページのＪ−Ｓｋｙ用の画面６４をインターネットを通じて閲覧することができる。また、ＥＺ−Ｗｅｂを使用したホームページ閲覧者６６は、Ｗｅｂサーバー５２に格納されているホームページのＥＺ−Ｗｅｂ用の画面６８をインターネットを通じて閲覧することができる。
【０００３】
【発明が解決しようとする課題】
機種の異なるアクセス端末のブラウザ表示の言語に互換性がなく、特に、携帯端末のｉ−ｍｏｄｅ用、Ｊ−Ｓｋｙ用、ＥＺ−Ｗｅｂ用のブラウザに対応する画面は、より経験豊富な技術者やホームページ作成経験者により製作されている。このように一般の商店や少しパソコンを理解されている技能では複雑煩雑でホームページの管理が不可能である。まして、更新作業にいたっては、ほとんど外注に頼り、コスト高になっており、このような状況が我が国のＩＴ促進を妨げている要因となっている。
本発明は上記問題点を解決することを目的とするものである。
【０００４】
【課題を解決するための手段】
上記目的を達成するため、本発明は  互換性のない複数種類のブラウザに対応したホームページをインターネット上に構築しページ掲載データを一元管理するためのシステムであって、Ｗｅｂサーバーに装備されパーソナルコンピュータや複数機種の携帯端末等のアクセス端末に使用されるブラウザごとにそのブラウザに対応したＷｅｂファイル形式を備え多数の区切られた領域を有し各領域が予め決められた登録名に対応し登録名が付けられたページ掲載データを該登録名に対応する前記領域に貼り付けることができるようにした全体がマトリックス化されたテンプレートと、前記Ｗｅｂサーバーに装備されホームページを構築するための多数のページ掲載データを格納するオリジナルデータベースと、前記Ｗｅｂサーバーに装備され各種携帯端末の機種情報を格納するブラウザデータベースと、アクセス端末からのブラウザ情報に基づいて前記ブラウザデータベースからアクセス端末の機種情報を入手し該機種情報に基づいて前記オリジナルデータベースに格納されているページ掲載データを前記機種に対応したページ掲載データに変換し前記機種に対応する前記テンプレートに出力するデータ変換手段と、該変換したデータをその位置情報に応じて前記テンプレートの所定の位置に貼り付けるデータ貼り付け手段とを備えたものである。
また本発明は、インターネットに接続するＷｅｂサーバーを、
複数機種の携帯端末等のアクセス端末の各種のブラウザに対応したＷｅｂファイル形式を備え多数の区切られた領域を有し各領域が予め決められた登録名に対応し登録名が付けられたページ掲載データを該登録名に対応する前記領域に貼り付けることができるようにした全体がマトリックス化されたテンプレートを設定する手段、
ホームページを構成するための多数のページ掲載データをオリジナルデータベースとして格納する手段、
前記オリジナルデータベースに格納されているページ掲載データをアクセス端末の機種に対応したページ掲載データに変換し該機種に対応する前記テンプレートに出力するデータ変換手段、
該変換したページ掲載データをその位置情報に応じてテンプレートの所定の位置に貼り付けるデータ貼り付け手段、
として機能させるためのホームページ構築に用いられるプログラムを特徴とする。
【０００５】
【発明の実施の形態】
以下に本発明の実施の形態を添付した図面を参照して詳細に説明する。
図１は本システムの主要な構成を示している。インターネットに接続するＷｅｂサーバー２には、ホームページ構築プログラム４が格納され、該プログラム４のテンプレート設定手段６により、Ｗｅｂサーバー２の記憶装置に、パーソナルコンピュータ用閲覧画面を形成するＷｅｂファイル形式のテンプレート８と、ｉモード携帯電話用閲覧画面を形成するＷｅｂファイル形式のテンプレート１０と、Ｊ−Ｓｋｙ携帯端末用閲覧画面を形成するＷｅｂファイル形式のテンプレート１２と、ＥＺ−Ｗｅｂ携帯端末用閲覧画面を形成するＷｅｂファイル形式のテンプレート１４とが設定されている。尚、携帯端末用のテンプレート１０，１２，１４は互いに兼用する１つのテンプレートであっても良い。
【０００６】
前記テンプレート８，１０，１２，１４は、図３に示すように、マトリックス化されている。マトリックス化とは、画面を多数の桝目あるいは行で区切り、任意の枡あるいは行の位置に画像、文字列、リンク先が指定されたリンク属性画像あるいはリンク属性文字列などのページ掲載データを貼り付けることができる構造を言う。このテンプレートのマトリックス化により、本プログラム４のデータ貼り付け手段１６によって、テンプレート８，１０，１２，１４の任意の位置に、オリジナルデータベース１８Ａ内に格納されたページ掲載データ２０を貼り付けることができるように構成されている。ページ掲載データ２０は、ホームページ作成者により、デジタルカメラやスキャナあるいは文章作成ソフトなどによって多数必要に応じて作成され、それぞれ登録名が付けられＷｅｂサーバー２のオリジナルデータベース１８Ａに、データベース化されて格納されている。
【０００７】
テンプレートの桝目あるいは行の位置即ちマトリックス位置は、予め決められた登録名に対応している。そのため、ページ掲載データに登録名を付けるだけで、テンプレート上の貼り付け位置を特定することができる。パーソナルコンピュータなどの情報端末からＷｅｂサーバー２のオリジナルデータベース１８Ａにアップロードされた各ページ掲載データは、パーソナルコンピュータ、ｉ−ｍｏｄｅ携帯電話、Ｊ−Ｓｋｙ、ＥＺ−Ｗｅｂなどのアクセス端末からのアクセス信号に基づき、オリジナルデータベース１８Ａから、対応するテンプレート８，１０，１２，１４に、本プログラム４のデータ変換手段２２による、データ変換処理２４を経て、あるいは、データ変換処理２４を経ないで直接、出力される。
【０００８】
これらオリジナルデータベース１８Ａから出力されたページ掲載データは、対応するテンプレート８，１０，１２，１４の指定された位置に、データ貼り付け手段１６によって貼り付けられる。本プログラムにより形成されるデータベース格納部２８には、前記オリジナルデータベース１８Ａの他に、パーソナルコンピュータ用ブラウザ、ｉ−ｍｏｄｅ携帯電話用ブラウザ、Ｊ−Ｓｋｙ用ブラウザ、ＥＺ−Ｗｅｂ用ブラウザなどの各種ブラウザの情報を備えたブラウザデータベース１８Ｂが格納されている。
次に本プログラム４のデータ変換手段２２によるデータ変換処理２４のアルゴリズムについて図２のフローチャートを参照して説明する。
【０００９】
Ｗｅｂサーバー２に、パーソナルコンピュータ、インターネット対応携帯端末などのアクセス端末から、インターネットを通じて、ホームページへのアクセスがあると、図２のステップ１で、アクセス端末側のブラウザ情報がＷｅｂサーバー２に提供され、これに基づいて、データベース解析制御手段２６は、アクセス端末側から要求されたデータがどの機種に対応するものであるか確認する。次にデータベース解析制御手段２６は、アクセス端末側から要求されたデータがパーソナルコンピュータ用のものであるか否か判断し（ステップ２）、肯定を判断すると、オリジナルデータベース１８Ａから、予め格納されている複数のページ掲載データをパーソナルコンピュータ用のテンプレート８に出力する（ステップ３）。
【００１０】
オリジナルデータベース１８Ａから出力されたページ掲載データ２０は、データ貼り付け手段１６によりパーソナルコンピュータ用のテンプレート８に、その位置情報に基づいて、図３に示すように、貼り付けられる。図３では、説明の便宜のため、ひとつのページ掲載データ２０のみ示したが、実際は多数のページ掲載データが、その位置情報に応じて、テンプレート８の所定の位置に貼り付けられる。これにより、パーソナルコンピュータによって閲覧可能なホームページの画面が形成され、パーソナルコンピュータを使用した閲覧者は、インターネットを通じてテンプレート８に掲載されたホームページの閲覧が可能になる。尚、オリジナルデータベース１８Ａ内の画像データがパーソナルコンピュータ用のブラウザに対応できない場合には、この画像データはデータ変換手段２２によってフォーマット変換され、テンプレート８に出力される。
【００１１】
ステップ２で否定を判断した場合には、データベース解析制御手段２６は、ブラウザデータベース１８Ｂから、アクセス端末の機種情報を呼び出し、この機種情報に基づいて、データ変換手段２２を制御する（ステップ４）。データ変換手段２２は、この機種情報に基づいて、データベース格納部２８に格納されているオリジナルデータベース１８Ａのファイルデータの削除（ステップ５）、ページ掲載データの色データ交換（ステップ６）、ページ掲載データのサイズの縮小（ステップ７）、ページ掲載データのフォーマット変換（ステップ８）、セピア、ネガ、反転、モザイクなどの機種情報に対応したデータ変換を行い（ステップ９）、これらのデータ変換処理を経たオリジナルデータベースのページ掲載データ２０を対応するテンプレート１０又は１２又は１４に出力する（ステップ１０）。
【００１２】
これにより、例えばｉ−ｍｏｄｅの携帯電話でホームページにアクセスした場合、テンプレート１０を通じて、ホームページの閲覧が可能となる。同様に、Ｊ−Ｓｋｙの携帯端末でホームページにアクセスした場合、テンプレート１２を通じて、ホームページの閲覧が可能となる。また、ＥＺ−Ｗｅｂの携帯端末でホームページにアクセスした場合、テンプレート１４を通じて、ホームページの閲覧が可能となる。各アクセス端末に対応したホームページの更新は、新しいページ掲載データを、旧ページ掲載データの登録名を付けて、Ｗｅｂサーバー２のオリジナルデータベース１８Ａにアップロード保存すれば、旧データは新しいデータに自動的に更新され、この処理動作のみによって、パーソナルコンピュータ及び各種携帯端末に対応したホームページの更新が完了する。
【００１３】
即ち、ホームページのデータ更新ごとに、ホームページ作成者によるホームページの更新データを各種携帯端末に対応させるためのデータ加工処理が不要となる。
なお、本実施形態では、機種ごとのテンプレート８，１０，１２，１４はそれぞれトップページの画面ＴＯＰＬＩＮＫの他にメニューページＬＮＫ１、商品紹介ページＬＮＫ２、商品紹介ページＬＮＫ３、情報ページＬＮＫ４、地図情報ページＬＮＫ５が用意されている。また商品紹介ページＬＮＫ２には、これにリンクする写真表示ページＦＯＬ２１，ＦＯＬ２２等（図示省略）、商品紹介ページＬＮＫ３には、これにリンクする写真表示ページＦＯＬ３１，ＦＯＬ３２が用意されている。メニューページＬＮＫ１のリンク表示欄Ｄ１には、オリジナルデータベース１８Ａに格納されているページＬＮＫ２、ＬＮＫ３、ＬＮＫ４、ＬＮＫ５の各名称が自動的に表示され、該欄Ｄ１に自動表示された各文字列は、ページＬＮＫ２、ＬＮＫ３、ＬＮＫ４、ＬＮＫ５にリンクしている。
【００１４】
ページＬＮＫ２のリンク表示欄Ｄ２には、オリジナルデータベース１８Ａに格納されている写真表示ページＦＯＬ２１の名称が自動的に表示され、該欄Ｄ２に自動表示された文字列は、ページＦＯＬ２１、ＦＯＬ２２等（図示省略）にリンクしている。ページＬＮＫ３のリンク表示欄Ｄ３，Ｄ４には、オリジナルデータベース１８Ａに格納されている写真表示ページＦＯＬ３１、ＦＯＬ３２の名称が自動的に表示され、該欄Ｄ２に自動表示された文字列は、ページＦＯＬ２１、ＦＯＬ３２にリンクしている。各ページ即ちテンプレートＴＯＰＬＩＮＫ、ＬＩＮＫ１、ＬＮＫ２、ＬＮＫ３、ＬＮＫ４、ＬＮＫ５、ＦＯＬ２１、ＦＯＬ３１、ＦＯＬ３２には、予め見本データが掲載されている。各ページの見本データが掲載されているマトリックス領域には予め登録名が付けられている。従って、ホームページ作成者は、テンプレート８、１０、１２、１４の見本データに替えるページ掲載データを作成し、そのデータに見本データに付けられている登録名を付与して、オリジナルデータベース１８Ａに登録すれば、見本データは新しいデータに更新され、テンプレート８，１０，１２，１４の、見本データが掲載されているマトリックス位置に、見本データの替わりに、新規作成ページ掲載データを貼り付けることができる。
【００１５】
各テンプレート８，１０，１２，１４のリンク表示欄は、上述したように、自動的に作成され、このリンク表示欄のテンプレート上の位置はテンプレート設定手段６を用いた設定操作によって任意の位置に設定することができる。
勿論、テンプレートに見本データを掲載しないで白紙状態にし、この白紙状態の画面の任意の位置に新規ページ掲載データを貼り付ける構成としても良い。
図５はパーソナルコンピュータ用のテンプレート８を示し、Ｗｅｂサーバー２には、同様のページ構成のテンプレートがｉ−ｍｏｄｅ用、Ｊ−Ｓｋｙ用、ＥＺ−Ｗｅｂ用として用意されている。
【００１６】
このように、テンプレート８，１０，１２，１４に、予め決められたマトリックス位置に登録名を付与しておき、その位置に、画像あるいはリンク属性文字列、あるいはテキストデータを掲載できるようにしておけば、ホームページ作成者は、例えば、画像Ｓ１，Ｓ２，Ｓ３あるいは新規作成文字列のデータに登録名を付与して、オリジナルデータベース１８Ａに登録するだけで、パーソナルコンピュータ用、ｉ−ｍｏｄｅ用、Ｊ−Ｓｋｙ用、ＥＺ−Ｗｅｂ用のテンプレートの対応するマトリックス領域に、自動的に、画像Ｓ１，Ｓ２，Ｓ３あるいは新規作成文字列のデータを貼り付けることができ、各種ブラウザ対応Ｗｅｂ画面を形成することができる。
【００１７】
【発明の効果】
本発明は上述の如く構成したので、互換性のない各種アクセス端末に対応したホームページを簡単に作成でき、しかもその更新作業を簡単に行うことができる。
【図面の簡単な説明】
【図１】本発明のブロック説明図である。
【図２】本発明の動作を説明するフローチャートである。
【図３】本発明に使用されるテンプレートの説明図である。
【図４】本発明に係るプログラムの機能ブロック説明図である。
【図５】本発明に使用されるテンプレートの説明図である。
【図６】従来技術のブロック説明図である。
【符号の説明】
２      Ｗｅｂサーバー
４      プログラム
６      テンプレート
８      テンプレート
１０    テンプレート
１２    テンプレート
１４    テンプレート
１６    データ貼り付け手段
１８    データベース
１８Ａ  オリジナルデータベース
１８Ｂ  ブラウザデータベース
２０    ページ掲載データ
２２    データ変換手段
２４    データ変換処理
２６    データベース解析制御手段
２８    データベース格納部
３０    ディジタル機器
３２    画像ソフト
３４    処理
３６    処理
３８    処理
４０    処理
４２    処理
４４    処理
４６    処理
４８    処理
５０    処理
５２    Ｗｅｂサーバー
５４    閲覧者
５６    画面
５８    閲覧者
６０    画面
６２    閲覧者
６４    画面
６６    閲覧者
６８    画面
【図１】
0004334167.tif 000002
【図２】
0004334167.tif 000003
【図３】
0004334167.tif 000004
【図４】
0004334167.tif 000005
【図５】
0004334167.tif 000006
【図６】
0004334167.tif 000007